(57)【要約】【課題】  プロジェクタの異常に起因する記憶媒体へのダメージを抑制することが可能なプロジェクタ及びその制御方法を提供する。【解決手段】  制御部２０は、光源制御部２５から光源電流に関する検知結果を入力して光源切れが生じているか否かを判断するとともに、温度センサ２６からの検出信号に基づいて、高温異常が生じているか否かを判断する。光源切れ又は高温異常が検知された場合で、ＤＶＤメディアＭがメディア収容部６に収容されている場合には、制御部２０は、メディア搬送部２９に指示をして、ＤＶＤメディアＭの保持を解放し、トレイ５を筐体の外部に押し出して、メディア収容部６からＤＶＤメディアＭを排出する。【選択図】  図２
2007047442.tif 000002
【特許請求の範囲】
【請求項１】
筐体内の記憶媒体収容部に収容された記憶媒体から画像データを読み出して、光源から射出された光を、前記画像データに応じて変調して投写するプロジェクタであって、
当該プロジェクタの異常を検知する異常検知手段と、
前記異常検知手段が異常を検知した際に、前記記憶媒体収容部から筐体外に前記記憶媒体を排出するための動作を行う記憶媒体排出手段と、
を備えたことを特徴とするプロジェクタ。
【請求項２】
請求項１に記載のプロジェクタであって、前記異常検知手段は、筐体内の温度を検出する温度検出手段を有し、前記温度検出手段が検出した温度が所定温度以上であった場合に、前記異常として検知することを特徴とするプロジェクタ。
【請求項３】
請求項１又は２に記載のプロジェクタであって、前記異常検知手段は、前記光源の光源切れを検知する光源切れ検知手段を有し、前記光源切れ検出手段が光源切れを検知した場合に、前記異常として検知することを特徴とするプロジェクタ。
【請求項４】
請求項１〜３のいずれか１項に記載のプロジェクタであって、前記記憶媒体収容部に前記記憶媒体が収容されているか否かを検出する記憶媒体検出手段を備え、前記記憶媒体排出手段は、前記異常検知手段が前記異常を検知するとともに、前記記憶媒体検出手段が前記記憶媒体収容部に収容された前記記憶媒体を検出した場合に、前記記憶媒体を排出するための動作を行うことを特徴とするプロジェクタ。
【請求項５】
筐体内の記憶媒体収容部に収容された記憶媒体から画像データを読み出して、光源から射出された光を、前記画像データに応じて変調して投写するプロジェクタの制御方法であって、
当該プロジェクタの異常を検知する異常検知工程と、
前記異常検知工程にて異常を検知した際に、前記記憶媒体収容部から筐体外に前記記憶媒体を排出するための動作を行う記憶媒体排出工程と、
を備えたことを特徴とするプロジェクタの制御方法。
【発明の詳細な説明】
【技術分野】
【０００１】
本発明は、装填された記憶媒体から画像データを読み出して、当該画像データに応じた画像を投写するプロジェクタ及びその制御方法に関する。
【背景技術】
【０００２】
光源ランプから射出された光を画像データに応じて変調し、スクリーン等に画像を投写するプロジェクタにおいて、ＤＶＤ（Digital Versatile Disk）メディア等の記憶媒体に記憶された画像データを読み出し可能な読出装置を内蔵するプロジェクタが提案されている（例えば、特許文献１）。このようなプロジェクタは、ＤＶＤ再生装置等と接続することなく、プロジェクタ単体で画像の表示が可能となるため、装置を取り扱う際の利便性が向上したり、装置等の設置に要するスペースを低減したりすることが可能となる。
【０００３】
【特許文献１】特開２００４−１５９１９１号公報
【発明の開示】
【発明が解決しようとする課題】
【０００４】
しかしながら、プロジェクタの内部は、光源ランプの点灯に伴う発熱等によって高温となるため、上記のような読出装置を内蔵するプロジェクタでは、高温環境下での使用や、内部を冷却するための冷却手段の不具合等によって、記憶媒体が熱的なダメージを受ける恐れがある。
また、ランプ切れとなった光源ランプを交換する際に、光源ランプの保持構造によっては、プロジェクタを傾けたり、天地を反転させたりする必要がある。このため、記憶媒体が装着された状態でランプ交換を行うと、交換作業時の不慮の衝撃等により記憶媒体が傷つく恐れがある。
【０００５】
本発明は上記問題を鑑みてなされたものであり、その目的は、プロジェクタの異常に起因する記憶媒体へのダメージを抑制することが可能なプロジェクタ及びその制御方法を提供することにある。
【課題を解決するための手段】
【０００６】
本発明のプロジェクタは、筐体内の記憶媒体収容部に収容された記憶媒体から画像データを読み出して、光源から射出された光を、前記画像データに応じて変調して投写するプロジェクタであって、当該プロジェクタの異常を検知する異常検知手段と、前記異常検知手段が異常を検知した際に、前記記憶媒体収容部から筐体外に前記記憶媒体を排出するための動作を行う記憶媒体排出手段とを備えたことを特徴とする。
【０００７】
このプロジェクタによれば、異常検知手段がプロジェクタの異常を検知した際に、記憶媒体収容部から筐体外に記憶媒体を排出するため、プロジェクタの異常に起因する記憶媒体へのダメージを抑制することが可能となる。
【０００８】
このプロジェクタにおいて、前記異常検知手段は、筐体内の温度を検出する温度検出手段を有し、前記温度検出手段が検出した温度が所定温度以上であった場合に、前記異常として検知することが望ましい。
【０００９】
このプロジェクタによれば、筐体内の温度が所定温度以上になった場合に、記憶媒体を筐体外に排出するため、記憶媒体が高温下にさらされることによるダメージを抑制することが可能となる。
【００１０】
このプロジェクタにおいて、前記異常検知手段は、前記光源の光源切れを検知する光源切れ検知手段を有し、前記光源切れ検出手段が光源切れを検知した場合に、前記異常として検知することが望ましい。
【００１１】
このプロジェクタによれば、光源切れが検知された場合に、記憶媒体を筐体外に排出するため、記録媒体を収容したままで光源の交換がなされるのを抑制することができる。この結果、光源を交換する際の記録媒体への衝撃を抑止することが可能となる。
【００１２】
このプロジェクタにおいて、前記記憶媒体収容部に前記記憶媒体が収容されているか否かを検出する記憶媒体検出手段を備え、前記記憶媒体排出手段は、前記異常検知手段が前記異常を検知するとともに、前記記憶媒体検出手段が前記記憶媒体収容部に収容された前記記憶媒体を検出した場合に、前記記憶媒体を排出するための動作を行うことが望ましい。
【００１３】
このプロジェクタによれば、記憶媒体が記憶媒体収容部に収容されている場合にのみ、異常の検知に応じて記憶媒体を排出するための動作を行うため、記憶媒体が記憶媒体収容部に収容されていない場合には、排出動作が行われることはない。つまり、記憶媒体が収容されていないにも拘わらず、記憶媒体を載置するトレイが押し出されたり、記憶媒体収容部の蓋が開いたりすることがなくなるため、ユーザは、押し出されたトレイを内部に引き込ませたり、開いた蓋を閉じたりする作業をせずに済む。
【００１４】
本発明のプロジェクタの制御方法は、筐体内の記憶媒体収容部に収容された記憶媒体から画像データを読み出して、光源から射出された光を、前記画像データに応じて変調して投写するプロジェクタの制御方法であって、当該プロジェクタの異常を検知する異常検知工程と、前記異常検知工程にて異常を検知した際に、前記記憶媒体収容部から筐体外に前記記憶媒体を排出するための動作を行う記憶媒体排出工程とを備えたことを特徴とする。
【００１５】
このプロジェクタの制御方法によれば、異常検知工程にてプロジェクタの異常を検知した際に、記憶媒体収容部から筐体外に記憶媒体を排出するため、プロジェクタの異常に起因する記憶媒体へのダメージを抑制することが可能となる。
【００１６】
また、上述したプロジェクタ及びその制御方法が、プロジェクタに備えられたコンピュータを用いて構築されている場合には、本発明は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００１７】
以下、本発明の実施形態に係るプロジェクタについて、図面を参照して説明する。本実施形態のプロジェクタは、ＤＶＤ（Digital Versatile Disk）メディアに記憶された画像データを読み出し可能になっており、当該画像データに応じた画像の投写を行うものである。
図１（ａ）、（ｂ）は、本実施形態に係るプロジェクタを示す斜視図である。
図１（ａ）、（ｂ）に示すように、プロジェクタ１は、前面を覆うフロントケース２ａ、上面を覆うアッパーケース２ｂ、底面を覆うロアーケース２ｃ、背面を覆うリアケース（図示せず）等からなる筐体２で囲まれている。筐体２の前面には、画像（光学像）を投写する投写レンズ１３が露出するとともに、記憶媒体としてのＤＶＤメディアＭを載置して筐体２の内外を搬送するためのトレイ５が突出可能になっている。また、筐体２の上面には、プロジェクタ１に対して各種指示を行うためのキーを複数備えた操作部２１が設けられている。
【００１８】
図１（ａ）に示すように、トレイ５が筐体２の内部に収容された状態で、ユーザが、操作部２１に備えられたトレイ駆動キーを操作すると、図１（ｂ）に示すように、筐体２の前面からトレイ５が突出し、ＤＶＤメディアＭの取り出しや載置が可能な状態となる。ＤＶＤメディアＭを載置した後、再度、トレイ駆動キーを操作すると、ＤＶＤメディアＭを載置したトレイ５は、筐体２の内部に引き込まれ、ＤＶＤメディアＭは、トレイ５とともに筐体２内のメディア収容部６（記憶媒体収容部）に収容され、画像データの再生（画像表示）処理が可能な状態となる。
【００１９】
図２は、プロジェクタ１の概略構成を示すブロック図である。
図２に示すように、プロジェクタ１には、画像の投写を行う投写部１０が備えられている。投写部１０は、超高圧水銀ランプやメタルハライドランプ等の放電型光源ランプからなる光源１１と、光変調装置としての液晶ライトバルブ１２と、投写レンズ１３と、ライトバルブ駆動部１４とを備えている。
【００２０】
液晶ライトバルブ１２には、複数の画素が形成されており、ライトバルブ駆動部１４が、入力した画像データに基づいて液晶ライトバルブ１２を駆動することにより、光源１１から射出した光は、液晶ライトバルブ１２で画素毎に変調され、画像データに応じた光学像が形成される。形成された光学像は、投写レンズ１３によってスクリーンＳＣ等に向けて拡大投写される。
【００２１】
なお、図示は省略しているが、光源１１と液晶ライトバルブ１２の間の光路には、光源光を３色（赤、緑、青）の色光Ｒ，Ｇ，Ｂに分離する光分離光学系が配置されており、分離された各色光Ｒ，Ｇ，Ｂをそれぞれ変調するために、液晶ライトバルブ１２は３つ備えられている。また、液晶ライトバルブ１２と投写レンズ１３の間の光路には、変調された各色光Ｒ，Ｇ，Ｂを合成するクロスダイクロイックプリズム等の光合成光学系が配置されており、合成されたカラーの光学像が投写レンズ１３から射出する。
【００２２】
プロジェクタ１は、さらに、制御部２０と、操作部２１と、画像データ読出部２２と、画像データ変換部２３と、画像データ処理部２４と、光源制御部２５と、温度センサ２６と、ファン駆動部２７と、空冷ファン２８と、メディア搬送部２９と、報知部３０とを有している。
【００２３】
制御部２０は、ＣＰＵ（Central Processing Unit）２０ａや、フラッシュＲＯＭ（Read Only Memory）等からなるメモリ２０ｂを備え、コンピュータとして機能するものであり、ＣＰＵ２０ａがメモリ２０ｂに記憶されている制御プログラムに従って動作することにより、プロジェクタ１の動作を統括制御する。操作部２１には、上述したトレイ駆動キーに加え、電源のオン・オフや、画質の調整等、プロジェクタ１に対して各種動作を指示するための複数のキー等が備えられており、ユーザが操作部２１を操作すると、操作部２１は、操作内容に応じた操作信号を制御部２０に出力する。
【００２４】
画像データ読出部２２は、制御部２０の指示に基づいて、メディア収容部６に収容されたＤＶＤメディアＭを、スピンドルモータ（図示せず）で回転させるとともに、光ピックアップ（図示せず）を走査して、ＤＶＤメディアＭに記憶されている画像データ（例えば、ＭＰＥＧ２データ）を読み出すことが可能になっている。読み出された画像データは、画像データ変換部２３に出力される。また、画像データ読出部２２は、メディア収容部６にトレイ５が引き込まれた後、ＤＶＤメディアＭがトレイ５上に載置されているか否か、即ち、ＤＶＤメディアＭがメディア収容部６に収容されているか否かを、光ピックアップが受光する反射光の信号レベルによって検出することが可能になっており、本発明の記憶媒体検出手段としても機能する。
【００２５】
画像データ変換部２３は、画像データ読出部２２、或いは、外部の図示しない画像供給装置（画像再生装置やパーソナルコンピュータ等）から各種形式の画像データを入力可能となっており、入力した画像データを、制御部２０の指示に基づいて、画像データ処理部２４で処理可能な形式の画像データに変換し、画像データ処理部２４に出力する。
【００２６】
画像データ処理部２４は、制御部２０の指示に基づいて、画像データ変換部２３から入力した画像データに対して、解像度を液晶ライトバルブ１２の解像度（画素数）に合わせる解像度変換や、輝度調整、コントラスト調整、シャープネス調整等の各種画質調整、或いは、メニューやメッセージ等のＯＳＤ（オンスクリーンディスプレイ）画像を合成する処理を施し、処理後の画像データをライトバルブ駆動部１４に出力する。ライトバルブ駆動部１４は、この画像データに基づいて液晶ライトバルブ１２を駆動する。
【００２７】
光源制御部２５は、制御部２０の指示に基づき、光源１１の点灯動作、及び消灯動作を行う。また、光源制御部２５は、光源１１が消費する電流（光源電流）に基づいて、光源１１の点灯状態（点灯しているか否か）を検知可能になっており、検知結果を制御部２０に出力する。制御部２０は、点灯動作の後にも拘わらず、光源１１が点灯していない旨を示す検知結果を入力した場合には、プロジェクタ１が異常状態（光源切れ）であると判断する。より具体的には、点灯動作を行っても点灯しない状態が所定の複数回（例えば３回）連続した場合や、消灯動作によらず点灯している状態から点灯していない状態に切り替わった場合に、制御部２０は、プロジェクタ１が異常状態（光源切れ）であると判断する。つまり、光源制御部２５と制御部２０とは、本発明の異常検知手段を構成する光源切れ検知手段としても機能する。
【００２８】
温度センサ２６は、本発明の温度検出手段に相当するものであり、サーミスタ等によって構成され、筐体２の内部温度を検出して検出温度に応じた検出信号を制御部２０に出力する。ファン駆動部２７は、制御部２０の指示に基づいて空冷ファン２８を駆動し、筐体２の内部を冷却することができる。なお、配置する温度センサ２６や空冷ファン２８の数は１つずつに限られず、光源１１や液晶ライトバルブ１２、メディア収容部６の近傍等、温度管理が必要な部位毎に備えるようにしてもよい。
【００２９】
ここで、制御部２０は、温度センサ２６からの検出信号に基づいて、筐体２の内部温度を認識し、空冷ファン２８による冷却を制御する一方、空冷ファン２８による冷却にも拘わらず内部温度が所定温度以上となるまで上昇した場合には、プロジェクタ１が異常状態（高温異常）であると判断する。つまり、温度センサ２６と制御部２０とは、本発明の異常検知手段を構成する。
【００３０】
メディア搬送部２９は、制御部２０の指示に基づいて、トレイ５をメディア収容部６から筐体２の外部に押し出したり、外部からメディア収容部６に引き込んだりする動作を行う。さらに、メディア搬送部２９は、前記スピンドルモータの回転駆動力をＤＶＤメディアＭに伝達させるために、メディア収容部６に収容されたＤＶＤメディアＭを保持するメディア保持手段（図示せず）を備えており、制御部２０の指示に基づいて、ＤＶＤメディアＭの保持やその解放を行うことができる。なお、メディア収容部６に収容されたＤＶＤメディアＭの保持を解放し、トレイ５を外部に押し出すことにより、ＤＶＤメディアＭを筐体２の外部に排出することができるため、メディア搬送部２９と制御部２０とは、本発明の記憶媒体排出手段に相当する。
【００３１】
トレイ５が外部に押し出された状態（図１（ｂ）参照）で、トレイ駆動キーが操作されると、制御部２０は、メディア搬送部２９によりトレイ５を内部に引き込み、ＤＶＤメディアＭを保持するための動作を行う。その後、制御部２０は、ＤＶＤメディアＭが装填されたか否か、つまり、メディア収容部６にＤＶＤメディアＭが収容されているか否かを、画像データ読出部２２の光ピックアップによって検知して、検知結果（ＤＶＤメディアＭの有無）をメモリ２０ｂに記憶させる。この検知結果は、次回トレイ駆動キーが操作されること等によりトレイ５が外部に押し出されるまでメモリ２０ｂに保持される。
【００３２】
報知部３０は、例えば、ＬＥＤ（発光ダイオード）インジケータ等からなり、その点灯状態によってプロジェクタ１の動作状態等を報知するものであり、ユーザは、電源が投入されているか否か、或いは異常が生じているか否か等の動作状態を報知部３０によって認識することができる。報知部３０としては、ＬＥＤインジケータに限られず、液晶表示装置等の他の表示手段を用いることもできるし、ＯＳＤ画像によって報知することもできる。また、ブザーやスピーカ等を備えて音声によって報知するようにしてもよい。
【００３３】
次に、異常発生時におけるプロジェクタ１の動作について説明する。
プロジェクタ１は、各種動作時、例えば、電源投入後における光源１１の点灯動作時や、光源１１の点灯後に光量が安定するまで待機するウォーミングアップ時、或いは、ＤＶＤメディアＭから読み出した画像データや外部の画像供給装置からの入力した画像データの再生（画像表示）処理をしている時等に、プロジェクタ１が異常状態にあるか否かを異常検知手段（光源制御部２５及び温度センサ２６等）によって定期的に検知する。
【００３４】
図３は、プロジェクタ１が異常状態を検知する際の動作処理を説明するフローチャートである。
図３に示すように、ステップＳ１０１では、制御部２０は、プロジェクタ１が異常状態にあるか否かを判断する。具体的には、光源制御部２５から光源電流に関する検知結果を入力して光源切れが生じているか否かを判断するとともに、温度センサ２６からの検出信号に基づいて、高温異常が生じているか否かを判断する。異常が生じていない場合には、ステップＳ１０１を繰り返し、光源切れ又は高温異常が検知された場合には、ステップＳ１０２に移行する。
【００３５】
ステップＳ１０２では、制御部２０は、ＤＶＤメディアＭの有無を示す検知結果をメモリ２０ｂから読み出して、ＤＶＤメディアＭがメディア収容部６に収容されているか否かを判断する。ＤＶＤメディアＭがメディア収容部６に収容されている場合にはステップＳ１０３に移行し、収容されていない場合にはステップＳ１０４に移行する。
【００３６】
ステップＳ１０３では、制御部２０は、メディア搬送部２９に指示をして、ＤＶＤメディアＭの保持を解放し、トレイ５を筐体２の外部に押し出して、メディア収容部６からＤＶＤメディアＭを排出する。なお、ＤＶＤメディアＭに記憶されている画像データの再生処理中に本ステップに移行した場合には、まず、画像データ読出部２２に指示をして、前記スピンドルモータの回転やデータの読出し動作を停止させた後で、上記排出動作を行う。
【００３７】
ステップＳ１０４では、制御部２０は、報知部３０に指示をして、プロジェクタ１に異常が生じている旨を報知して処理を終了する。
【００３８】
上記動作処理によって、ユーザは、装置の異常を認識するとともに、トレイ５が押し出されることによって、ＤＶＤメディアＭをトレイ５から取り出すべき状況であることを認識することできる。その後、ユーザは、トレイ５からＤＶＤメディアＭを取り出し、トレイ駆動キーを操作して、トレイ５を内部に引き込ませた後、異常内容に応じた処置を施す。
【００３９】
以上説明したように、本実施形態のプロジェクタ１によれば、以下の効果を得ることができる。
（１）本実施形態のプロジェクタ１によれば、筐体２の内部温度が所定温度以上になった場合に、ＤＶＤメディアＭを排出するため、ＤＶＤメディアＭが高温下にさらされることによるダメージを抑制することが可能となる。
【００４０】
（２）本実施形態のプロジェクタ１によれば、光源１１の光源切れが検知された場合にＤＶＤメディアＭを排出するため、ＤＶＤメディアＭを内部に収容したままで光源１１の交換がなされるのを防ぐことができる。この結果、光源１１を交換する際のＤＶＤメディアＭへの衝撃を抑止することが可能となる。
【００４１】
（３）本実施形態のプロジェクタ１によれば、ＤＶＤメディアＭがメディア収容部６に収容されている場合にのみ、異常の検知に応じてＤＶＤメディアＭを排出するための動作を行うため、ＤＶＤメディアＭがメディア収容部６に収容されていない場合には、排出動作は行われない。つまり、ＤＶＤメディアＭが収容されていないにも拘わらず、異常時にトレイ５が押し出されることがなくなるため、ユーザは、押し出されたトレイ５を内部に引き込ませるための作業をせずに済む。
【００４２】
（変形例）
なお、本発明の実施形態は、以下のように変更してもよい。
・前記実施形態では、異常状態を検知（ステップＳ１０１）した際、メディアを排出（ステップＳ１０３）した後に、異常を報知（ステップＳ１０４）しているが、異常を報知した後にメディアを排出するようにしてもよい。
【００４３】
・前記実施形態において、異常状態を検知した際に、トレイ５を筐体２の外部に押し出すとともに、報知部３０によって異常の発生を報知しているが、さらに、ユーザがＤＶＤメディアＭを載せたままトレイ５を筐体２の内部に引き込ませないように、トレイ５からＤＶＤメディアＭを取り出すように促す報知を音声又は表示で行ってもよい。
【００４４】
・前記実施形態では、トレイ５によってＤＶＤメディアＭを装填するプロジェクタ１について説明したが、他の装填方法を用いたプロジェクタにも適用可能である。
図４（ａ）は、筐体２の前面等に設けられたスリット７からＤＶＤメディアＭの出し入れを行うスロットイン方式のプロジェクタを示す斜視図である。この場合、異常発生時には、図示しない搬送機構によって内部のメディア収容部６からスリット７の外部に向けてＤＶＤメディアＭを排出する。
図４（ｂ）は、筐体２の上面等に設けられた開閉蓋８を開いてＤＶＤメディアＭの出し入れを行うトップローディング方式のプロジェクタを示す斜視図である。この場合、異常発生時には、図示しない駆動機構によって開閉蓋８を開放することにより、メディア収容部６からのＤＶＤメディアＭの取り外し（排出）をユーザに促す。このように、実際にはＤＶＤメディアＭ（記憶媒体）をメディア収容部６（記憶媒体収容部）から外部に排出しない場合でも、排出するのに不可欠な動作であれば、本発明の「記憶媒体を排出するための動作」に含むものとする。
【００４５】
・前記実施形態では、光源切れを検知するために、光源電流に基づいて光源１１の点灯状態を検知しているが、光源１１の照明光を受光しうる位置に光センサを備え、その受光量によって点灯状態を検知するようにしてもよい。
【００４６】
・前記実施形態では、記憶媒体としてＤＶＤメディアＭを例に説明したが、ＤＶＤメディアＭに限られず、ＣＤ（Compact Disk）や各種ＩＣカード等、他の記憶媒体に適用してもよい。
【００４７】
・前記実施形態では、画像データ読出部２２の光ピックアップによって、メディア収容部６に収容されたＤＶＤメディアＭの有無を検知しているが、ＤＶＤメディアＭの検知方法は前記に限られず、接触型のセンサや、他の光センサ等を用いて検知するようにしてもよい。
【００４８】
・前記実施形態では、透過型の液晶ライトバルブ１２を用いて光源光の変調を行っているが、反射型の光変調装置であるＬＣＯＳ（Liquid Crystal On Silicon）等を用いることも可能である。また、入射した光の射出方向を、画素としてのマイクロミラー毎に制御することにより、光源から射出した光を変調するＤＭＤ（テキサスインスツルメンツ社の登録商標）（デジタル・マイクロミラー・デバイス）等を用いることもできる。
【図面の簡単な説明】
【００４９】
【図１】（ａ）、（ｂ）は、実施形態に係るプロジェクタを示す斜視図。
【図２】プロジェクタの概略構成を示すブロック図。
【図３】異常状態を検知する際の動作処理を説明フローチャート。
【図４】（ａ）、（ｂ）は、変形例に係るプロジェクタを示す斜視図。
【符号の説明】
【００５０】
１…プロジェクタ、２…筐体、５…トレイ、６…メディア収容部、１０…投写部、１１…光源、１２…液晶ライトバルブ、１３…投写レンズ、１４…ライトバルブ駆動部、２０…制御部、２０ａ…ＣＰＵ、２０ｂ…メモリ、２１…操作部、２２…画像データ読出部、２３…画像データ変換部、２４…画像データ処理部、２５…光源制御部、２６…温度センサ、２７…ファン駆動部、２８…空冷ファン、２９…メディア搬送部、３０…報知部、Ｍ…ＤＶＤメディア。
【図１】
2007047442.tif 000003
【図２】
2007047442.tif 000004
【図３】
2007047442.tif 000005
【図４】
2007047442.tif 000006